(57)【特許請求の範囲】
【請求項１】
洗面台と化粧台とが平面視Ｌ字状に配置された洗面化粧ユニットであって、
前記洗面台は、洗面カウンターと、前記洗面カウンターに設けられた洗面ボウルとを備え、
前記化粧台は、化粧カウンターと、前記化粧カウンターの下方に位置する脚入れ凹所とを備え、
前記洗面ボウルの縁の上端は、前記化粧カウンターの上面よりも上方に位置し、
前記洗面カウンターの高さは、立った姿勢で前記洗面ボウルが利用しやすい高さであることを特徴とする洗面化粧ユニット。
【請求項２】
前記洗面カウンターの上面は、前記化粧カウンターの上面よりも上方に位置することを特徴とする請求項１に記載の洗面化粧ユニット。
【請求項３】
前記洗面カウンターの上面の高さは、７５０〜８５０ｍｍであることを特徴とする請求項２に記載の洗面化粧ユニット。
【請求項４】
前記洗面カウンターと前記化粧カウンターとは、上下方向に隙間無く配置されていることを特徴とする請求項２に記載の洗面化粧ユニット。
【請求項５】
前記洗面カウンターの上面と前記化粧カウンターの上面とは、互いに面一であり、
前記洗面ボウルは、前記洗面カウンターの上面に載せられていることを特徴とする請求項１に記載の洗面化粧ユニット。
【請求項６】
前記脚入れ凹所は、
前記化粧カウンターの中央部の下方に位置する中央凹所と、前記化粧カウンターの前記洗面台側の端部の下方に位置する拡張凹所とで構成され、
前記中央凹所と前記拡張凹所とは連通していることを特徴とする請求項１乃至５のいずれか１項に記載の洗面化粧ユニット。
【請求項７】
物体検知センサの検知に応じて吐水・止水を行う水栓をさらに備えることを特徴とする請求項１乃至６のいずれか１項に記載の洗面化粧ユニット。
【請求項８】
前記洗面カウンターの前記上面のうち前記化粧台に近い側の端部に、立ち上がり部が設けられていることを特徴とする請求項１乃至７のいずれか１項に記載の洗面化粧ユニット。
【請求項９】
前記洗面台は、前記洗面カウンターの下方に位置するキャビネットをさらに備えることを特徴とする請求項１乃至８のいずれか１項に記載の洗面化粧ユニット。
【発明の詳細な説明】
【技術分野】
【０００１】
本発明は、一般に、洗面化粧ユニットに関し、より詳細には、洗面台と化粧台とが平面視Ｌ字状に配置された洗面化粧ユニットに関する。
【背景技術】
【０００２】
特許文献１には、シンク付きカウンターと、化粧台とが、平面視Ｌ字状に一体に配置されたカウンター装置が記載されている。
【０００３】
このカウンター装置では、シンク付きカウンターの上面と、化粧台の天板の上面とが、同じ高さである。
【０００４】
このカウンター装置によれば、使用者は、椅子に着座して化粧台で化粧を行うことができ、また、シンクで洗顔等を行うことができる。
【先行技術文献】
【特許文献】
【０００５】
【特許文献１】特開平５−５６８１７号公報
【発明の概要】
【発明が解決しようとする課題】
【０００６】
しかし、特許文献１に記載のカウンター装置では、シンク付きカウンター（つまり洗面台）の上面が、座って使用する化粧台の天板の上面の高さと同じであるため、立った姿勢で洗顔する場合には、シンクの高さが低くて、利用し難かった。
【０００７】
上記事情に鑑みて、本発明の目的は、立った姿勢での洗面台の利用がしやすい洗面化粧ユニットを提供すること、とする。
【課題を解決するための手段】
【０００８】
本発明に係る形態の洗面化粧ユニットは、洗面台と化粧台とが平面視Ｌ字状に配置された洗面化粧ユニットである。
【０００９】
前記洗面台は、洗面カウンターと、前記洗面カウンターに設けられた洗面ボウルとを備える。前記化粧台は、化粧カウンターと、前記化粧カウンターの下方に位置する脚入れ凹所とを備える。
【００１０】
前記洗面ボウルの縁の上端は、前記化粧カウンターの上面よりも上方に位置する。
【発明の効果】
【００１１】
本発明の洗面化粧ユニットでは、立った姿勢での洗面台の利用がしやすい。
【図面の簡単な説明】
【００１２】
【図１】図１は、実施形態１の洗面化粧ユニットを示す斜視図である。
【図２】図２は、実施形態２の洗面化粧ユニットを示す斜視図である。
【図３】図３は、実施形態３の洗面化粧ユニットを示す斜視図である。
【発明を実施するための形態】
【００１３】
（実施形態１）
図１には、実施形態１の洗面化粧ユニット１が示されている。洗面化粧ユニット１は、洗面台２と化粧台３とが平面視Ｌ字状に配置されたユニットである。洗面台２と化粧台３とは、それぞれの平面視における長手方向が直交するように、平面視Ｌ字状に配置されている。洗面化粧ユニット１は、本実施形態では、部屋の一方向の壁１００に洗面台２が沿い、この壁１００に対して直角に並ぶ壁１０１に化粧台３が沿うように、配置されている。以下では、平面視における洗面台２の長手方向を左右方向とし、平面視における化粧台３の長手方向を前後方向として、各構成について説明する。つまり、図１の矢印Ｘで示す方向が右方向であり、矢印Ｙで示す方向が前方向であり、矢印Ｚで示す方向が上方向である。
【００１４】
洗面台２は、洗面カウンター２０と、洗面カウンター２０に設けられた洗面ボウル２１と、水栓２２と、洗面カウンター２０の下方に位置するキャビネット２３とを備える。
【００１５】
洗面カウンター２０は、左右方向を長手方向とし、前後方向を短手方向とし、上下方向を厚み方向とする平面視長方形状の板体である。洗面カウンター２０は、例えば、人工大理石製である。洗面ボウル２１は、本実施形態では、洗面カウンター２０の左右方向の中央部に位置する凹んだ部分であり、洗面カウンター２０と一体に成形されている。そのため、洗面ボウル２１も、人工大理石製である。なお、洗面ボウル２１は、洗面カウンター２０の左右方向の中央部に取り付けられた、洗面カウンター２０とは別の部材であってもよい。
【００１６】
本実施形態では、洗面ボウル２１は、上方に開口した箱型である。洗面ボウル２１は、前後方向に対向して位置する前壁２１１及び後壁２１２と、左右方向に対向して位置する一対の側壁２１３と、前壁２１１、後壁２１２、及び一対の側壁２１３で囲まれる底壁２１４とを有する。前壁２１１、後壁２１２、及び一対の側壁２１３が、洗面ボウル２１の縁２１０を構成する。底壁２１４には、排水孔２１５が設けられている。
【００１７】
洗面ボウル２１の縁２１０の上端（前壁２１１の上端、後壁２１２の上端、及び一対の側壁２１３の上端）は、周方向に亘って上下位置が略同じである。洗面ボウル２１の縁２１０の上端は、洗面カウンター２０の上面と面一である。なお、洗面ボウル２１の縁２１０の上端は、洗面カウンター２０の上面よりも若干下方に位置してもよいし、若干上方に位置してもよい。
【００１８】
洗面カウンター２０の上面の高さは、立った姿勢での洗面ボウル２１及び水栓２２の利用がしやすい高さであり、例えば、７５０〜８５０ｍｍである。これにより、利用者は、洗顔時等の、立って前かがみとなるときの角度が大きくなりにくく、腰への負担が少ない状態で、洗面ボウル２１及び水栓２２を利用することができる。
【００１９】
洗面カウンター２０は、その上面のうち洗面ボウル２１の左右にそれぞれ、洗面用品等を置くことのできる略平坦な載置エリア２４，２５を有している。
【００２０】
洗面カウンター２０の上面の前縁には、立ち上がり部２６が左右方向に亘って設けられている。つまり、左側の載置エリア２４の前縁と、右側の載置エリア２５の前縁と、洗面ボウル２１の前方の前縁のそれぞれに、左右方向に亘って、立ち上がり部２６が設けられている。この立ち上がり部２６により、洗面カウンター２０上の水滴が、洗面カウンター２０の前縁から落下することが抑制される。
【００２１】
なお、立ち上がり部２６は、洗面カウンター２０の上面の前縁から洗面ボウル２１までの前後長さと同じ前後長さを有する幅広のものでもよく、この場合、立ち上がり部２６の上面は、前側ほど上方に位置するように傾斜した傾斜面である。
【００２２】
水栓２２は、洗面カウンター２０のうち、洗面ボウル２１よりも後方の部位に設けられている。水栓２２は、物体検知センサの検知に応じて吐水・止水を行う自動水栓である。物体検知センサは、例えば、水栓２２に内蔵されており、水栓２２に近づく物体の有無を検知する。これにより、水栓２２は、使用者が水栓２２に手を近付けたときには、湯や水を吐出し、使用者が水栓２２から手を遠ざけたときに、止水を行うことができる。なお、物体検知センサは、水栓２２内に限らず、洗面カウンター２０や洗面ボウル２１やその他の水栓２２に隣接する箇所に設置されてもよい。
【００２３】
キャビネット２３は、洗面ボウル２１が位置する洗面カウンター２０の左右方向の中央部の下方と、洗面カウンター２０の右側の載置エリア２５の下方とに設けられている。つまり、キャビネット２３は、洗面カウンター２０の左側の載置エリア２４の下方には設けられていない。キャビネット２３は、洗面カウンター２０を支持する。
【００２４】
キャビネット２３は、その前面に、複数の前面板２３０を有している。複数の前面板２３０それぞれの前面には、取っ手２３１が設けられている。複数の前面板２３０のそれぞれは、引き出し自在または、開閉自在である。複数の前面板２３０のそれぞれは、その前面が洗面カウンター２０の前面と略面一である。
【００２５】
洗面台２は、洗面カウンター２０の左側の載置エリア２４の下方に位置する凹所２７をさらに備える。凹所２７は、キャビネット２３の左側に並んで位置する。凹所２７は、化粧台３の長手方向の一端部（つまり後端部）を収容するための部分である。
【００２６】
洗面台２は、洗面カウンター２０の後面が壁１００に当たり、洗面カウンター２０の左面が壁１０１に当たるように、床に設置される。さらに、本実施形態では、洗面台２は、洗面カウンター２０の右面が、壁１０１に対向して位置する壁１０２に当たるように、床に設置されている。
【００２７】
洗面化粧ユニット１は、洗面台２の上方に位置する洗面用鏡２８をさらに備える。洗面用鏡２８は、本実施形態では１枚鏡である。なお、洗面用鏡２８は、三面鏡でもよい。洗面用鏡２８は、壁１００のうち、洗面カウンター２０よりも上方の部分に取り付けられている。洗面用鏡２８は、本実施形態では、洗面台２とは別体に設けられているが、これに限定されず、例えば、洗面用鏡２８は、洗面カウンター２０の後端部から立ち上がった支持壁に一体に設けられてもよい。
【００２８】
化粧台３は、化粧カウンター３０と、化粧カウンター３０の下方に位置する脚入れ凹所３１と、化粧カウンター３０の下方に位置するキャビネット３２及び引き出し３３とを備える。
【００２９】
化粧カウンター３０は、前後方向を長手方向とし、左右方向を短手方向とし、上下方向を厚み方向とする、平面視長方形状の板体である。化粧カウンター３０の左右方向の長さは、洗面台２の凹所２７の左右方向の長さよりも若干短い。化粧カウンター３０は、例えば、木製である。化粧カウンター３０の上面は、洗面カウンター２０の上面よりも低く、さらには、洗面カウンター２０の下面よりも若干低い。
【００３０】
脚入れ凹所３１は、化粧カウンター３０の前後方向の中央部の下方に位置する中央凹所３１０と、化粧カウンター３０の洗面台２側の端部の下方に位置する拡張凹所３１１とで構成されている。中央凹所３１０と拡張凹所３１１とは連通しており、中央凹所３１０と拡張凹所３１１との間には仕切りが存在していない。中央凹所３１０と拡張凹所３１１のそれぞれの奥行き（左右方向の長さ）は、化粧カウンター３０の左右方向の長さと同じである。拡張凹所３１１は、凹所２７と連通しており、拡張凹所３１１と凹所２７との間には仕切りが存在していない。
【００３１】
キャビネット３２は、化粧カウンター３０の洗面台２側とは反対側（つまり前側）の端部の下方に位置している。キャビネット３２は、化粧カウンター３０を支持する。キャビネット３２は、化粧カウンター３０の下方において、脚入れ凹所３１と並んで位置する。
【００３２】
キャビネット３２は、その正面（右面）に、複数（本実施形態では２つ）の正面板３２０を有している。下側の正面板３２０の正面（右面）には、取っ手３２１が設けられている。各正面板３２０は、引き出し自在または、開閉自在である。各正面板３２０は、その正面（右面）が化粧カウンター３０の正面（右面）と略面一である。
【００３３】
引き出し３３は、化粧カウンター３０の下面のうち、キャビネット３２よりも後方の部位に取り付けられている。本実施形態では、引き出し３３は、化粧カウンター３０の下面の前後方向の中央部に位置する第一引き出し３３０と、第一引き出し３３０の後方に並んで位置する第二引き出し３３１とで構成されている。脚入れ凹所３１は、引き出し３３の下方に位置する。
【００３４】
化粧台３は、化粧カウンター３０の後端部の下面に接続されて、化粧カウンター３０の後端部を支持する脚部をさらに備える。なお、図１では、脚部は凹所２７内に隠れている。
【００３５】
洗面化粧ユニット１は、化粧台３の上方に位置する化粧用鏡３４をさらに備える。化粧用鏡３４は、壁１０１のうち、化粧カウンター３０よりも上方の部分に取り付けられている。化粧用鏡３４は、本実施形態では、化粧台３とは別体に設けられているが、これに限定されず、例えば、化粧用鏡３４は、化粧カウンター３０の左端部から立ち上がった支持壁に一体に設けられてもよい。
【００３６】
化粧用鏡３４は、本実施形態では三面鏡である。三面鏡は、収納ボックス３４０と、収納ボックス３４０の正面側に回転自在に取り付けられた３つの鏡３４１を有する。収納ボックス３４０の正面のうち、隣接する２つの鏡３４１，３４１の隙間の部分にはそれぞれ、ＬＥＤ等の照明装置３４２が設置されている。
【００３７】
洗面化粧ユニット１は、脚入れ凹所３１に出し入れ自在な椅子３５をさらに備える。なお、椅子３５には、キャスターが設けられていることが好ましい。
【００３８】
化粧台３は、化粧カウンター３０の左面が壁１０１に当たり、化粧カウンター３０の後端部とこの後端部を支持する脚部とが、洗面台２の凹所２７内に位置するように、床に設置される。ここで、化粧台３は、第二引き出し３３１が引き出し可能なように、化粧カウンター３０の後端部の凹所２７内への差込長さが決められる。化粧カウンター３０の下方の脚入れ凹所３１は、化粧カウンター３０の前後方向の中央部の下方から洗面台２の前面と並ぶ前後位置まで拡がっている。さらに、本実施形態では、化粧台３は、化粧カウンター３０の前面が、壁１００に対向して位置する壁１０３に当たるように、床に設置されている。化粧カウンター３０と洗面カウンター２０とは、上下方向に隙間無く設置される。本実施形態では、化粧カウンター３０の後端部の上面と洗面カウンター２０の左端部の下面とが当たっている。なお、化粧カウンター３０の後端部の上面と洗面カウンター２０の左端部の下面との間に、カウンター２０，３０とは別部材の閉塞部材を挟み込むことで、化粧カウンター３０と洗面カウンター２０とを、上下方向に隙間無く設置してもよい。
【００３９】
本実施形態では、洗面化粧ユニット１は、壁１００，１０１，１０２，１０３で囲まれた部屋に平面視Ｌ字状に設置されており、洗面化粧ユニット１が設置された部屋は、洗面化粧室となっている。図１では、壁１０２と壁１０３とは、部分的に表示されており、壁１０２と壁１０３のうち少なくとも一方には、寝室等の他の部屋へと繋がる出入口が設けられている。
【００４０】
以上説明した洗面化粧ユニット１は、例えば、以下のように利用することができる。
【００４１】
利用者は、椅子３５に座り、化粧台３の中央凹所３１０に両脚を入れて、化粧用鏡３４の前で化粧を行うことができる。
【００４２】
利用者は、化粧の前後や途中に手を洗いたい場合には、水栓２２に手を伸ばすことで、物体検知センサが利用者の手を検知して水栓２２が吐水を行うため、水栓２２に触れることなく、手を洗うことができる。このとき、利用者は、椅子３５を洗面台２側にずらして、化粧台３の洗面台２側の端部の下方の拡張凹所３１１に両脚が入るように、移動することができる。そのため、利用者は、椅子３５に座ったまま、直線的な短い移動で、手を洗うことができる。
【００４３】
また、利用者は、化粧前や、化粧落としの後に、洗面台２の洗面ボウル２１の前方に立ち前かがみになって、洗顔を行うこともできる。このとき、洗面カウンター２０の上面が、化粧カウンター３０の上面よりも上方に位置するため、洗面ボウル２１と水栓２２の位置を高くでき、立った姿勢での洗面台２の利用がしやすい。
【００４４】
また、中央凹所３１０に両脚を入れて椅子３５に座る化粧位置から、洗面台２へと直線的な移動が行えるため、化粧位置から洗面台２へのアクセスがしやすい。そのため、洗面カウンター２０の左側の載置エリア２４を、湿った物（化粧品や洗い物等）を置くための、化粧カウンター３０の補助スペースとしても有効に活用することができる。また、この載置エリア２４の前縁には、立ち上がり部２６が設けられているため、載置エリア２４上の水が、化粧カウンター３０上に流れ落ちることを抑制することができる。これにより、化粧カウンター３０は、防水性の高い部材で形成する必要がなく、木製とすることができ、化粧台３の外観の向上を図ることができる。
【００４５】
また、本実施形態の洗面化粧ユニット１は、洗面カウンター２０の左の載置エリア２４と、化粧カウンター３０とが前後方向に並ぶように配置され、洗面ボウル２１及び水栓２２が、化粧位置にあるときの使用者の側方（後方）に位置している。これにより、利用者は、化粧の前後や途中に、洗面ボウル２１及び水栓２２の利用がしやすい。
【００４６】
また、本実施形態の洗面化粧ユニット１では、洗面カウンター２０と化粧カウンター３０とが上下方向に隙間無く設置されているため、化粧カウンター３０の上のごみやほこりが、洗面カウンター２０と化粧カウンター３０との間に入り込むことを防止できる。
【００４７】
（変更例）
続いて、上述した実施形態１の洗面化粧ユニット１の変更例について説明する。
【００４８】
化粧台３の脚入れ凹所３１は、中央凹所３１０のみで構成され、拡張凹所３１１を含まなくてもよい。この場合、拡張凹所３１１には、例えばキャビネットが設置される。
【００４９】
洗面台２の水栓２２は、自動水栓に限らず、手動で操作する操作部を有してもよい。
【００５０】
洗面カウンター２０の上面には、立ち上がり部２６が設けられなくてもよい。
【００５１】
洗面ボウル２１は、図１に示す形状に限らず、例えば、洗面ボウル２１の外形状は、半球体状等のその他の形状であってもよい。
【００５２】
（実施形態２）
続いて、図２に示す実施形態２の洗面化粧ユニット１について説明する。以下では、実施形態１の洗面化粧ユニット１と同様の構成については図中に符号をつけて詳しい説明を省略し、実施形態１の洗面化粧ユニット１とは異なる構成について詳しく説明する。
【００５３】
実施形態２の洗面化粧ユニット１では、洗面ボウル２１は、洗面カウンター２０の上面に載せて設けている。洗面ボウル２１は、洗面カウンター２０とは別の部材である。本実施形態では、洗面ボウル２１は、洗面カウンター２０の上面の右寄りの部分に載せて設けている。
【００５４】
洗面ボウル２１は、洗面ボウル２１の縁２１０を構成する前壁２１１、後壁２１２、及び一対の側壁２１３に加えて、底壁２１４と、底壁２１４の後端から上方に立ち上がった立ち上がり壁２１６と、立ち上がり壁２１６の上端から後方に延びた上壁２１７を有する。
【００５５】
底壁２１４、立ち上がり壁２１６及び上壁２１７は、縁２１０（壁２１１，２１２，２１３）によって囲まれており、縁２１０と一体である。上壁２１７に、水栓２２が設けられている。縁２１０の上端は、周方向に亘って上下位置が略一定である。
【００５６】
なお、洗面ボウル２１は、図２に示す形状に限らず、洗面ボウル２１の外形状は、半球体状等のその他の形状であってもよい。水栓２２は、洗面カウンター２０や壁１００に設けられてもよい。
【００５７】
化粧台３は、化粧カウンター３０の前端部の下方に位置するキャビネット３２に加えて、第二引き出し３３１の下方に位置するキャビネット３２２をさらに備える。そのため、本実施形態では、脚入れ凹所３１は、第一引き出し３３０の下方にのみ位置する。なお、化粧台３は、キャビネット３２２を備えなくてもよい。
【００５８】
洗面カウンター２０は、矩形板状の天板部２００と、天板部２００の前縁から下方に突出した矩形板状の前板部２０１と、天板部２００の左右の縁から下方に突出した矩形板状の側板部とで構成される。つまり、洗面カウンター２０は、下方及び後方に開口した扁平な箱型である。洗面カウンター２０は、天板部２００の後面と左右の側板部の後面が壁１００に当たり、天板部２００の左面と左の側板部の左面が壁１０１に当たり、天板部２００の右面と右の側板部の右面が壁１０２に当たる状態で、設置されている。
【００５９】
化粧カウンター３０は、矩形板状である。化粧カウンター３０は、その後端面が壁１００に当たり、かつその左面が前後方向に亘って壁１０１に当たる状態で設置されている。そのため、化粧カウンター３０の左面と、洗面カウンター２０の天板部２００及び左の側板部の左面とは面一である。化粧カウンター３０の後面と、洗面カウンター２０の天板部２００の後面及び左の側板部の後面とは面一である。
【００６０】
洗面カウンター２０は、前板部２０１の左端部の下面が、化粧カウンター３０の後端寄りの部分の上面に当たる状態で設置されている。これにより、洗面カウンター２０と化粧カウンター３０とは上下方向に隙間無く配置されている。
【００６１】
以上説明した実施形態２の洗面化粧ユニット１においても、洗面カウンター２０の上面が、化粧カウンター３０の上面よりも上方に位置するため、洗面ボウル２１と水栓２２の位置を高くでき、立った姿勢での洗面台２の利用がしやすい。
【００６２】
また、実施形態２の洗面化粧ユニット１においても、洗面カウンター２０と化粧カウンター３０とが上下方向に隙間無く設置されているため、化粧カウンター３０の上のごみやほこりが、洗面カウンター２０と化粧カウンター３０との間に入り込むことを防止できる。
【００６３】
（実施形態３）
続いて、図３に示す実施形態３の洗面化粧ユニット１について説明する。以下では、実施形態１の洗面化粧ユニット１と同様の構成については図中に符号をつけて詳しい説明を省略し、実施形態１の洗面化粧ユニット１とは異なる構成について詳しく説明する。
【００６４】
実施形態３の洗面化粧ユニット１では、化粧カウンター３０の上面と洗面カウンター２０の上面とが面一である。化粧カウンター３０と洗面カウンター２０は、１枚の平面視Ｌ字状の板材で構成される。
【００６５】
本実施形態では、洗面カウンター２０の上面は、フラットであるが、化粧台３に近い側の端部に、立ち上がり部２６が設けられてもよい。
【００６６】
洗面ボウル２１は、洗面カウンター２０の上面に載せて設けられている。洗面ボウル２１は、洗面カウンター２０とは別の部材である。本実施形態では、洗面ボウル２１は、洗面カウンター２０の上面の右寄りの部分に載置されている。洗面ボウル２１は、実施形態２の洗面ボウル２１と同様のものである。
【００６７】
化粧台３は、化粧カウンター３０の前端部の下方に位置するキャビネット３２に加えて、第二引き出し３３１の下方に位置するキャビネット３２２をさらに備える。そのため、本実施形態では、脚入れ凹所３１は、第一引き出し３３０の下方にのみ位置する。なお、化粧台３は、キャビネット３２２を備えなくてもよい。
【００６８】
以上説明した実施形態３の洗面化粧ユニット１においても、洗面ボウル２１の縁２１０の上端が、化粧カウンター３０の上面よりも上方に位置するため、洗面ボウル２１と水栓２２の位置を高くでき、立った姿勢での洗面台２の利用がしやすい。
【００６９】
（効果）
以上説明した実施形態１〜３の洗面化粧ユニット１のように、本発明に係る第一の態様の洗面化粧ユニット１では、下記の第一の構成を備えることを特徴とする。
【００７０】
すなわち、本実施形態の洗面化粧ユニット１は、洗面台２と化粧台３とが平面視Ｌ字状に配置されたユニットである。洗面台２は、洗面カウンター２０と、洗面カウンター２０に設けられた洗面ボウル２１とを備える。化粧台３は、化粧カウンター３０と、化粧カウンター３０の下方に位置する脚入れ凹所３１とを備える。洗面ボウル２１の縁２１０の上端は、化粧カウンター３０の上面よりも上方に位置する。
【００７１】
上記第一の構成を備えることで、第一の態様の洗面化粧ユニット１では、従来例のように化粧台の上面と洗面ボウルの縁の上端とが同じ高さのものに比べて、洗面ボウル２１の位置を高くできる。したがって、第一の態様の洗面化粧ユニット１では、洗顔時などの立って前かがみとなった姿勢での洗面台２の利用がしやすい。
【００７２】
また、実施形態１，２の洗面化粧ユニット１のように、本発明に係る第二の態様の洗面化粧ユニット１では、上記の第一の構成に加えて、下記の第二の構成を備える。
【００７３】
すなわち、第二の態様の洗面化粧ユニット１では、洗面カウンター２０の上面が、化粧カウンター３０の上面よりも上方に位置する。
【００７４】
上記の第二の構成を備えることで、第二の態様の洗面化粧ユニット１では、洗面カウンター２０と化粧カウンター３０の互いの上面の高さが同じものに比べて、洗面カウンター２０の上面の位置が高くて、立った姿勢での洗面カウンター２０の上面の利用がしやすい。
【００７５】
また、実施形態１，２の洗面化粧ユニット１のように、本発明に係る第三の態様の洗面化粧ユニット１では、上記の第二の態様の洗面化粧ユニット１の構成に加えて、下記の第三の構成を備える。
【００７６】
すなわち、第三の態様の洗面化粧ユニット１では、洗面カウンター２０と化粧カウンター３０とは、上下方向に隙間無く配置されている。
【００７７】
上記の第三の構成を備えることで、第三の態様の洗面化粧ユニット１では、化粧カウンター３０の上のごみやほこりが、洗面カウンター２０と化粧カウンター３０との間に入り込むことを防止できる。
【００７８】
また、実施形態２，３の洗面化粧ユニット１のように、本発明に係る第四の態様の洗面化粧ユニット１では、上記の第一の構成に加えて、下記の第四の構成を備える。
【００７９】
すなわち、第四の態様の洗面化粧ユニット１では、洗面カウンター２０の上面と化粧カウンター３０の上面とは、互いに面一であり、洗面ボウル２１は、洗面カウンター２０の上面に載せて設けられている。
【００８０】
上記の第四の構成を備えることで、第四の態様の洗面化粧ユニット１では、洗面ボウル２１の縁２１０の上端の高さを簡単な構造で、化粧カウンター３０の上面よりも高くできる。また、第四の態様の洗面化粧ユニット１では、洗面カウンター２０の上面と化粧カウンター３０の上面との間に段差が無くて使い勝手がよい。
【００８１】
また、実施形態１乃至３の洗面化粧ユニット１のように、本発明に係る第五の態様の洗面化粧ユニット１では、上記の第一乃至第四の態様のいずれかの洗面化粧ユニット１の構成に加えて、下記の第五の構成を備える。
【００８２】
すなわち、第五の態様の洗面化粧ユニット１では、脚入れ凹所３１は、化粧カウンター３０の中央部の下方に位置する中央凹所３１０と、化粧カウンター３０の洗面台２側の端部の下方に位置する拡張凹所３１１とで構成される。中央凹所３１０と拡張凹所３１１とは連通している。
【００８３】
上記の第五の構成を備えることで、第五の態様の洗面化粧ユニット１では、利用者は、中央凹所３１０に脚を入れる化粧位置から、化粧カウンター３０の洗面台２側の端部の下方の拡張凹所３１１に脚を入れる位置への移動がしやすい。つまり、第五の態様の洗面化粧ユニット１では、利用者は、椅子に座ったまま、化粧位置から洗面台２へと近づくことができ、化粧台３から洗面台２へのアクセスがしやすい。
【００８４】
また、実施形態１乃至３の洗面化粧ユニット１のように、本発明に係る第六の態様の洗面化粧ユニット１では、上記の第一乃至第五の態様のいずれかの洗面化粧ユニット１の構成に加えて、下記の第六の構成を備える。
【００８５】
すなわち、第六の態様の洗面化粧ユニット１は、物体検知センサの検知に応じて吐水・止水を行う水栓２２をさらに備える。
【００８６】
上記の第六の構成を備えることで、第六の態様の洗面化粧ユニット１では、利用者は、化粧の途中や前後に、水栓２２に触れなくても手を洗うことができ、水栓２２の使い勝手が良い。
【００８７】
また、実施形態１乃至３の洗面化粧ユニット１のように、本発明に係る第七の態様の洗面化粧ユニット１では、上記の第一乃至第六の態様のいずれかの洗面化粧ユニット１の構成に加えて、下記の第七の構成を備える。
【００８８】
すなわち、第七の態様の洗面化粧ユニット１では、洗面カウンター２０の上面のうち化粧台３に近い側の端部に、立ち上がり部２６が設けられている。
【００８９】
上記の第七の構成を備えることで、第七の態様の洗面化粧ユニット１では、洗面カウンター２０上の水が化粧台３上に流れることを、立ち上がり部２６によって抑制することができる。
【００９０】
また、実施形態１乃至３の洗面化粧ユニット１のように、本発明に係る第八の態様の洗面化粧ユニット１では、上記の第一乃至第七の態様のいずれかの洗面化粧ユニット１の構成に加えて、下記の第八の構成を備える。
【００９１】
すなわち、第八の態様の洗面化粧ユニット１では、洗面台２は、洗面カウンター２０の下方に位置するキャビネット２３をさらに備える。
【００９２】
上記の第八の構成を備えることで、第八の態様の洗面化粧ユニット１では、洗面カウンター２０の下方の空間を、収納スペースとして効果的に利用することができる。
【００９３】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００９４】
１      洗面化粧ユニット
２      洗面台
２０    洗面カウンター
２１    洗面ボウル
２１０  縁
２２    水栓
２３    キャビネット
２６    立ち上がり部
３      化粧台
３０    化粧カウンター
３１    脚入れ凹所
３１０  中央凹所
３１１  拡張凹所
【図１】
0006803556.tif 000002
【図２】
0006803556.tif 000003
【図３】
0006803556.tif 000004